(57)【要約】      （修正有）【課題】良好な呼吸波形が得られるナビゲータ領域の位置を短時間で探し出すことが可能な磁気共鳴装置およびプログラムを提供する。【解決手段】プレスキャンＰＳの前に、ナビゲータ領域Ｒｎａｖの基準位置Ｐ１を設定する。オペレータは、プレスキャンＰＳが実行されている途中で、ナビゲータ領域の位置を変更する。表示部１１には、位置が変更された後のナビゲータ領域の呼吸信号が表示される。オペレータは、表示部１１を見ながら、ナビゲータ領域の位置を変更したときに、呼吸信号の波形がどのように変化するかを確認し、良好な呼吸信号が得られるときのナビゲータ領域の位置を探し出す。【選択図】図９
2013226409.tif 000002
【特許請求の範囲】
【請求項１】
被検体の呼吸信号を取得するためのナビゲータ領域を設定する磁気共鳴装置であって、
前記ナビゲータ領域から前記被検体の呼吸信号を取得するためのナビゲータシーケンスを含むスキャンを実行するスキャン手段と、
前記スキャンにより得られた呼吸信号をオペレータに表示する表示部と、
前記オペレータによって操作され、前記スキャン中のナビゲータ領域の位置を変更するための情報を入力する操作部と、
前記スキャン中に前記操作部から入力された情報に基づいて、前記ナビゲータ領域の位置を変更する位置変更手段と、
前記ナビゲータ領域の位置が変更された場合、前記表示部に、位置が変更された後のナビゲータ領域から得られた呼吸信号が表示されるように、前記表示部を制御する表示制御手段と、
を有する、磁気共鳴装置。
【請求項２】
前記スキャンを実行する前に前記ナビゲータ領域の基準位置を設定する基準位置設定手段を有し、
前記位置変更手段は、
前記ナビゲータ領域の位置を、前記基準位置から別の位置に変更する、請求項１に記載の磁気共鳴装置。
【請求項３】
前記オペレータは、前記操作部を操作して、前記基準位置を設定するための情報を入力し、
前記基準位置設定手段は、
前記操作部から入力された前記基準位置を設定するための情報に基づいて、前記基準位置を設定する、請求項２に記載の磁気共鳴装置。
【請求項４】
前記スキャン手段は、
前記スキャンの前に、前記ナビゲータ領域を設定するときに使用されるローカライザ画像データを取得するためのローカライザスキャンを実行し、
前記基準位置設定手段は、
前記ローカライザ画像データ上に前記基準位置を設定する、請求項３に記載の磁気共鳴装置。
【請求項５】
前記スキャン手段は、
前記スキャンの後に、前記ナビゲータ領域から前記被検体の呼吸信号を取得するための別のナビゲータシーケンスと、前記被検体の呼吸により体動する部位の画像データを取得するためのイメージングシーケンスとを含む本スキャンを実行する、請求項１〜４のうちのいずれか一項に記載の磁気共鳴装置。
【請求項６】
被検体の呼吸信号を取得するためのナビゲータ領域を設定する磁気共鳴装置であって、
前記ナビゲータ領域から前記被検体の呼吸信号を取得するためのナビゲータシーケンスを含むスキャンを実行するスキャン手段と、
前記スキャン中に、前記ナビゲータ領域の位置を変更し、各位置のナビゲータ領域から取得された呼吸信号に基づいて、前記ナビゲータ領域の位置を決定する決定手段と、
を有する磁気共鳴装置。
【請求項７】
前記スキャンを実行する前に前記ナビゲータ領域の基準位置を設定する基準位置設定手段を有し、
前記決定手段は、
前記基準位置に基づいて、前記スキャンを実行するときのナビゲータ領域の複数の位置を設定し、前記複数の位置の各々に設定されたナビゲータ領域の呼吸信号に基づいて、前記ナビゲータ領域の位置を決定する、請求項６に記載の磁気共鳴装置。
【請求項８】
前記決定手段は、
前記複数の位置の中から、前記ナビゲータ領域の位置を選択する、請求項７に記載の磁気共鳴装置。
【請求項９】
前記スキャン手段は、
前記スキャンの前に、前記ナビゲータ領域を設定するときに使用されるローカライザ画像データを取得するためのローカライザスキャンを実行し、
前記基準位置設定手段は、
前記ローカライザ画像データ上に前記基準位置を設定する、請求項７又は８に記載の磁気共鳴装置。
【請求項１０】
前記スキャン手段は、
前記スキャンの後に、前記ナビゲータ領域から前記被検体の呼吸信号を取得するための別のナビゲータシーケンスと、前記被検体の呼吸により体動する部位の画像データを取得するためのイメージングシーケンスとを含む本スキャンを実行する、請求項６〜９のうちのいずれか一項に記載の磁気共鳴装置。
【請求項１１】
ナビゲータ領域から被検体の呼吸信号を取得するためのナビゲータシーケンスを含むスキャンを実行する磁気共鳴装置のプログラムであって、
表示部に、前記スキャンにより得られた呼吸信号が表示されるように、前記表示部を制御する表示制御処理と、
前記スキャン中に操作部から入力された情報に基づいて、前記ナビゲータ領域の位置を変更する位置変更処理と、
を計算機に実行させるプログラムであり、
前記表示制御処理は、
前記ナビゲータ領域の位置が変更された場合、前記表示部に、位置が変更された後のナビゲータ領域から得られた呼吸信号が表示されるように、前記表示部を制御する、プログラム。
【請求項１２】
ナビゲータ領域から被検体の呼吸信号を取得するためのナビゲータシーケンスを含むスキャンを実行する磁気共鳴装置のプログラムであって、
前記スキャン中に、ナビゲータ領域の位置を変更し、各位置のナビゲータ領域から取得された呼吸信号に基づいて、前記ナビゲータ領域の位置を決定する決定処理、
を計算機に実行させるためのプログラム。
【請求項１３】
被検体の呼吸信号を取得するためのナビゲータ領域を設定する磁気共鳴装置であって、
前記ナビゲータ領域の位置を移動し、各位置における前記ナビゲータ領域のプロファイルを取得するための第１のスキャンを実行するスキャン手段と、
前記第１のスキャンにより得られた前記ナビゲータ領域のプロファイルと前記ナビゲータ領域の基準のプロファイルを表すテンプレートとの相関を算出する相関算出手段と、
前記相関に基づいて、第２のスキャンを実行するときの前記ナビゲータ領域の位置を決定する決定手段と、
を有する磁気共鳴装置。
【請求項１４】
被検体の呼吸信号を取得するためのナビゲータ領域を設定する磁気共鳴装置であって、
前記ナビゲータ領域の位置を移動させるときの第１の範囲を設定する第１の範囲設定手段と、
前記第１の範囲内において前記ナビゲータ領域の位置を移動し、各位置における前記ナビゲータ領域のプロファイルを取得するためのナビゲータシーケンスを含む第１のスキャンを実行するスキャン手段と、
前記第１のスキャンにより得られた前記ナビゲータ領域のプロファイルと前記ナビゲータ領域の基準のプロファイルを表すテンプレートとの相関を算出する相関算出手段と、
前記相関に基づいて、前記ナビゲータ領域の位置を移動させるときの第２の範囲を設定する第２の範囲設定手段と、
前記第２の範囲の中から、第２のスキャンを実行するときの前記ナビゲータ領域の位置を決定する決定手段と、
を有し、
前記スキャン手段は、
前記第２の範囲内において前記ナビゲータ領域の位置を移動し、各位置における前記ナビゲータ領域から前記被検体の呼吸信号を収集するための第３のスキャンを実行し、
前記決定手段は、
前記呼吸信号に基づいて、前記第２のスキャンを実行するときの前記ナビゲータ領域の位置を決定する、磁気共鳴装置。
【請求項１５】
前記第２の範囲設定手段は、
前記相関が最大になるときの前記ナビゲータ領域の位置に基づいて、前記第２の範囲を設定する、請求項１４に記載の磁気共鳴装置。
【請求項１６】
前記第２の範囲は、前記第１の範囲よりも狭く設定されている、請求項１４又は１５に記載の磁気共鳴装置。
【請求項１７】
被検体の呼吸信号を取得するためのナビゲータ領域の位置を移動し、各位置における前記ナビゲータ領域のプロファイルを取得するための第１のスキャンを実行する磁気共鳴装置のプログラムであって、
前記第１のスキャンを実行するときの前記ナビゲータ領域の位置を設定する位置設定処理と、
前記ナビゲータ領域のプロファイルと前記ナビゲータ領域の基準のプロファイルを表すテンプレートとの相関を算出する相関算出処理と、
前記相関に基づいて、第２のスキャンを実行するときの前記ナビゲータ領域の位置を決定する決定処理と、
を計算機に実行させるためのプログラム。
【請求項１８】
被検体の呼吸信号を取得するためのナビゲータ領域の位置を移動し、各位置における前記ナビゲータ領域のプロファイルを取得するための第１のスキャンを実行する磁気共鳴装置のプログラムであって、
前記第１のスキャンにおいて前記ナビゲータ領域の位置を移動させるときの第１の範囲を設定する第１の範囲設定処理と、
前記第１のスキャンにより得られた前記ナビゲータ領域のプロファイルと前記ナビゲータ領域の基準のプロファイルを表すテンプレートとの相関を算出する相関算出処理と、
前記相関に基づいて、前記ナビゲータ領域の位置を移動させるときの第２の範囲を設定する第２の範囲設定処理と、
前記第２の範囲内の前記ナビゲータ領域から得られた呼吸信号に基づいて、第２のスキャンを実行するときの前記ナビゲータ領域の位置を決定する決定処理と、
を計算機に実行させるためのプログラム。
【請求項１９】
被検体の呼吸信号を取得するためのナビゲータ領域を設定する磁気共鳴装置であって、
前記ナビゲータ領域の位置を移動し、各位置における前記ナビゲータ領域のプロファイルを取得するための第１のスキャンを実行するスキャン手段と、
前記ナビゲータ領域のプロファイルの第１の領域における面積と第２の領域における面積とに基づいて、第２のスキャンを実行するときの前記ナビゲータ領域の位置を決定する決定手段と、
を有する磁気共鳴装置。
【請求項２０】
被検体の呼吸信号を取得するためのナビゲータ領域を設定する磁気共鳴装置であって、
前記ナビゲータ領域の位置を移動させるときの第１の範囲を設定する第１の範囲設定手段と、
前記第１の範囲内において前記ナビゲータ領域の位置を移動し、各位置における前記ナビゲータ領域のプロファイルを取得するためのナビゲータシーケンスを含む第１のスキャンを実行するスキャン手段と、
前記第１のスキャンにより得られた前記ナビゲータ領域のプロファイルの第１の領域における面積と第２の領域における面積との差を算出する面積差算出手段と、
前記面積差算出手段により算出された面積の差に基づいて、前記ナビゲータ領域の位置を移動させるときの第２の範囲を設定する第２の範囲設定手段と、
前記第２の範囲の中から、前記第２のスキャンを実行するときの前記ナビゲータ領域の位置を決定する決定手段と、
を有し、
前記スキャン手段は、
前記第２の範囲内において前記ナビゲータ領域の位置を移動し、各位置における前記ナビゲータ領域から前記被検体の呼吸信号を収集するための第３のスキャンを実行し、
前記決定手段は、
前記呼吸信号に基づいて、前記第２のスキャンを実行するときの前記ナビゲータ領域の位置を決定する、磁気共鳴装置。
【請求項２１】
前記第２の範囲設定手段は、
前記プロファイルを微分することにより得られた微分プロファイルに基づいて、前記第２の範囲を設定する、請求項２０に記載の磁気共鳴装置。
【請求項２２】
前記第２の範囲設定手段は、
面積の差が最大になるときの前記ナビゲータ領域の位置に基づいて、前記第２の範囲を設定する、請求項２０又は２１に記載の磁気共鳴装置。
【請求項２３】
前記第２の範囲は、前記第１の範囲よりも狭く設定されている、請求項２０〜２２のうちのいずれか一項に記載の磁気共鳴装置。
【請求項２４】
前記ナビゲータ領域は、第１の部位の少なくとも一部と、第２の部位の少なくとも部位とを含んでいる、請求項１３〜２３のうちのいずれか一項に記載の磁気共鳴装置。
【請求項２５】
被検体の呼吸信号を取得するためのナビゲータ領域の位置を移動し、各位置における前記ナビゲータ領域のプロファイルを取得するための第１のスキャンを実行する磁気共鳴装置のプログラムであって、
前記第１のスキャンを実行するときの前記ナビゲータ領域の位置を設定する位置設定処理と、
前記ナビゲータ領域のプロファイルの第１の領域における面積と第２の領域における面積とに基づいて、第２のスキャンを実行するときの前記ナビゲータ領域の位置を決定する決定処理と、
を計算機に実行させるためのプログラム。
【請求項２６】
被検体の呼吸信号を取得するためのナビゲータ領域の位置を移動し、各位置における前記ナビゲータ領域のプロファイルを取得するための第１のスキャンを実行する磁気共鳴装置のプログラムであって、
前記第１のスキャンにおいて前記ナビゲータ領域の位置を移動させるときの第１の範囲を設定する第１の範囲設定処理と、
前記第１のスキャンにより得られた前記ナビゲータ領域のプロファイルの第１の領域における面積と第２の領域における面積との差に基づいて、前記ナビゲータ領域の位置を移動させるときの第２の範囲を設定する第２の範囲設定処理と、
前記第２の範囲内の前記ナビゲータ領域から得られた呼吸信号に基づいて、第２のスキャンを実行するときの前記ナビゲータ領域の位置を決定する決定処理と、
を計算機に実行させるためのプログラム。
【発明の詳細な説明】
【技術分野】
【０００１】
本発明は、被検体の呼吸信号を取得する磁気共鳴装置およびプログラムに関する。
【背景技術】
【０００２】
被検体の呼吸信号を取得する方法として、被検体の呼吸により体動する部位（例えば、横隔膜）にナビゲータ領域を設定し、このナビゲータ領域から磁気共鳴信号を収集するナビゲータ法が知られている（特許文献１参照）。
【先行技術文献】
【特許文献】
【０００３】
【特許文献１】特開２０１１−１９３８８４号公報
【発明の概要】
【発明が解決しようとする課題】
【０００４】
しかし、特許文献１の方法では、ナビゲータ領域を設定した時点では、良好な呼吸波形が得られるかどうかはわからない。良好な呼吸波形が得られるかどうかを知るためには、実際にスキャンを実行する必要がある。したがって、オペレータはスキャンを開始し、良好な呼吸波形が得られているかどうかを確認する。しかし、良好な呼吸波形が得られなかった場合は、スキャンを一旦停止し、ナビゲータ領域を再設定する必要がある。スキャンを一旦停止してナビゲータ領域を再設定するとなると、オペレータに負担がかかるだけでなく、被検体の検査時間も長くなってしまうという問題がある。したがって、良好な呼吸波形が得られるナビゲータ領域の位置を容易に探し出すことが望まれている。また、呼吸波形（呼吸信号）は、例えば、肺と肝臓との境界の位置の時間変化から得ることができるが、肺と肝臓との境界の位置の検出精度が悪い場合は、良好な呼吸信号も得られない。したがって、肺と肝臓との境界の位置の検出精度を向上させることも望まれている。
【課題を解決するための手段】
【０００５】
本発明の第１の観点は、被検体の呼吸信号を取得するためのナビゲータ領域を設定する磁気共鳴装置であって、
前記ナビゲータ領域から前記被検体の呼吸信号を取得するためのナビゲータシーケンスを含むスキャンを実行するスキャン手段と、
前記スキャンにより得られた呼吸信号をオペレータに表示する表示部と、
前記オペレータによって操作され、前記スキャン中のナビゲータ領域の位置を変更するための情報を入力する操作部と、
前記スキャン中に前記操作部から入力された情報に基づいて、前記ナビゲータ領域の位置を変更する位置変更手段と、
前記ナビゲータ領域の位置が変更された場合、前記表示部に、位置が変更された後のナビゲータ領域から得られた呼吸信号が表示されるように、前記表示部を制御する表示制御手段とを有する、磁気共鳴装置である。
【０００６】
本発明の第２の観点は、被検体の呼吸信号を取得するためのナビゲータ領域を設定する磁気共鳴装置であって、
前記ナビゲータ領域から前記被検体の呼吸信号を取得するためのナビゲータシーケンスを含むスキャンを実行するスキャン手段と、
前記スキャン中に、前記ナビゲータ領域の位置を変更し、各位置のナビゲータ領域から取得された呼吸信号に基づいて、前記ナビゲータ領域の位置を決定する決定手段とを有する磁気共鳴装置である。
【０００７】
本発明の第３の観点は、ナビゲータ領域から被検体の呼吸信号を取得するためのナビゲータシーケンスを含むスキャンを実行する磁気共鳴装置のプログラムであって、
表示部に、前記スキャンにより得られた呼吸信号が表示されるように、前記表示部を制御する表示制御処理と、
前記スキャン中に操作部から入力された情報に基づいて、前記ナビゲータ領域の位置を変更する位置変更処理と、
を計算機に実行させるプログラムであり、
前記表示制御処理は、
前記ナビゲータ領域の位置が変更された場合、前記表示部に、位置が変更された後のナビゲータ領域から得られた呼吸信号が表示されるように、前記表示部を制御する、プログラムである。
【０００８】
本発明の第４の観点は、ナビゲータ領域から被検体の呼吸信号を取得するためのナビゲータシーケンスを含むスキャンを実行する磁気共鳴装置のプログラムであって、
前記スキャン中に、ナビゲータ領域の位置を変更し、各位置のナビゲータ領域から取得された呼吸信号に基づいて、前記ナビゲータ領域の位置を決定する決定処理、
を計算機に実行させるためのプログラムである。
【０００９】
本発明の第５の観点は、被検体の呼吸信号を取得するためのナビゲータ領域を設定する磁気共鳴装置であって、
前記ナビゲータ領域の位置を移動し、各位置における前記ナビゲータ領域のプロファイルを取得するための第１のスキャンを実行するスキャン手段と、
前記第１のスキャンにより得られた前記ナビゲータ領域のプロファイルと前記ナビゲータ領域の基準のプロファイルを表すテンプレートとの相関を算出する相関算出手段と、
前記相関に基づいて、第２のスキャンを実行するときの前記ナビゲータ領域の位置を決定する決定手段と、を有する磁気共鳴装置である。
【００１０】
本発明の第６の観点は、被検体の呼吸信号を取得するためのナビゲータ領域を設定する磁気共鳴装置であって、
前記ナビゲータ領域の位置を移動させるときの第１の範囲を設定する第１の範囲設定手段と、
前記第１の範囲内において前記ナビゲータ領域の位置を移動し、各位置における前記ナビゲータ領域のプロファイルを取得するためのナビゲータシーケンスを含む第１のスキャンを実行するスキャン手段と、
前記第１のスキャンにより得られた前記ナビゲータ領域のプロファイルと前記ナビゲータ領域の基準のプロファイルを表すテンプレートとの相関を算出する相関算出手段と、
前記相関に基づいて、前記ナビゲータ領域の位置を移動させるときの第２の範囲を設定する第２の範囲設定手段と、
前記第２の範囲の中から、第２のスキャンを実行するときの前記ナビゲータ領域の位置を決定する決定手段と、
を有し、
前記スキャン手段は、
前記第２の範囲内において前記ナビゲータ領域の位置を移動し、各位置における前記ナビゲータ領域から前記被検体の呼吸信号を収集するための第３のスキャンを実行し、
前記決定手段は、
前記呼吸信号に基づいて、前記第２のスキャンを実行するときの前記ナビゲータ領域の位置を決定する、磁気共鳴装置である。
【００１１】
本発明の第７の観点は、被検体の呼吸信号を取得するためのナビゲータ領域の位置を移動し、各位置における前記ナビゲータ領域のプロファイルを取得するための第１のスキャンを実行する磁気共鳴装置のプログラムであって、
前記第１のスキャンを実行するときの前記ナビゲータ領域の位置を設定する位置設定処理と、
前記ナビゲータ領域のプロファイルと前記ナビゲータ領域の基準のプロファイルを表すテンプレートとの相関を算出する相関算出処理と、
前記相関に基づいて、第２のスキャンを実行するときの前記ナビゲータ領域の位置を決定する決定処理と、
を計算機に実行させるためのプログラムである。
【００１２】
本発明の第８の観点は、被検体の呼吸信号を取得するためのナビゲータ領域の位置を移動し、各位置における前記ナビゲータ領域のプロファイルを取得するための第１のスキャンを実行する磁気共鳴装置のプログラムであって、
前記第１のスキャンにおいて前記ナビゲータ領域の位置を移動させるときの第１の範囲を設定する第１の範囲設定処理と、
前記第１のスキャンにより得られた前記ナビゲータ領域のプロファイルと前記ナビゲータ領域の基準のプロファイルを表すテンプレートとの相関を算出する相関算出処理と、
前記相関に基づいて、前記ナビゲータ領域の位置を移動させるときの第２の範囲を設定する第２の範囲設定処理と、
前記第２の範囲内の前記ナビゲータ領域から得られた呼吸信号に基づいて、第２のスキャンを実行するときの前記ナビゲータ領域の位置を決定する決定処理と、
を計算機に実行させるためのプログラムである。
【００１３】
本発明の第９の観点は、被検体の呼吸信号を取得するためのナビゲータ領域を設定する磁気共鳴装置であって、
前記ナビゲータ領域の位置を移動し、各位置における前記ナビゲータ領域のプロファイルを取得するための第１のスキャンを実行するスキャン手段と、
前記ナビゲータ領域のプロファイルの第１の領域における面積と第２の領域における面積とに基づいて、第２のスキャンを実行するときの前記ナビゲータ領域の位置を決定する決定手段と、を有する磁気共鳴装置である。
【００１４】
本発明の第１０の観点は、被検体の呼吸信号を取得するためのナビゲータ領域を設定する磁気共鳴装置であって、
前記ナビゲータ領域の位置を移動させるときの第１の範囲を設定する第１の範囲設定手段と、
前記第１の範囲内において前記ナビゲータ領域の位置を移動し、各位置における前記ナビゲータ領域のプロファイルを取得するためのナビゲータシーケンスを含む第１のスキャンを実行するスキャン手段と、
前記第１のスキャンにより得られた前記ナビゲータ領域のプロファイルの第１の領域における面積と第２の領域における面積との差を算出する面積差算出手段と、
前記面積差算出手段により算出された面積の差に基づいて、前記ナビゲータ領域の位置を移動させるときの第２の範囲を設定する第２の範囲設定手段と、
前記第２の範囲の中から、前記第２のスキャンを実行するときの前記ナビゲータ領域の位置を決定する決定手段と、
を有し、
前記スキャン手段は、
前記第２の範囲内において前記ナビゲータ領域の位置を移動し、各位置における前記ナビゲータ領域から前記被検体の呼吸信号を収集するための第３のスキャンを実行し、
前記決定手段は、
前記呼吸信号に基づいて、前記第２のスキャンを実行するときの前記ナビゲータ領域の位置を決定する、磁気共鳴装置である。
【００１５】
本発明の第１１の観点は、被検体の呼吸信号を取得するためのナビゲータ領域の位置を移動し、各位置における前記ナビゲータ領域のプロファイルを取得するための第１のスキャンを実行する磁気共鳴装置のプログラムであって、
前記第１のスキャンを実行するときの前記ナビゲータ領域の位置を設定する位置設定処理と、
前記ナビゲータ領域のプロファイルの第１の領域における面積と第２の領域における面積とに基づいて、第２のスキャンを実行するときの前記ナビゲータ領域の位置を決定する決定処理と、
を計算機に実行させるためのプログラムである。
【００１６】
本発明の第１２の観点は、被検体の呼吸信号を取得するためのナビゲータ領域の位置を移動し、各位置における前記ナビゲータ領域のプロファイルを取得するための第１のスキャンを実行する磁気共鳴装置のプログラムであって、
前記第１のスキャンにおいて前記ナビゲータ領域の位置を移動させるときの第１の範囲を設定する第１の範囲設定処理と、
前記第１のスキャンにより得られた前記ナビゲータ領域のプロファイルの第１の領域における面積と第２の領域における面積との差に基づいて、前記ナビゲータ領域の位置を移動させるときの第２の範囲を設定する第２の範囲設定処理と、
前記第２の範囲内の前記ナビゲータ領域から得られた呼吸信号に基づいて、第２のスキャンを実行するときの前記ナビゲータ領域の位置を決定する決定処理と、
を計算機に実行させるためのプログラムである。
【発明の効果】
【００１７】
ナビゲータ領域の位置を変更することができるので、各位置に設定されたナビゲータ領域から呼吸信号を得ることができる。したがって、良好な呼吸信号が得られるときのナビゲータ領域の位置を決定することができる。
【図面の簡単な説明】
【００１８】
【図１】本発明の第１の形態の磁気共鳴装置の概略図である。
【図２】第１の形態で実行されるスキャンの説明図である。
【図３】撮影部位を概略的に示す図である。
【図４】図２に示すスキャンを実行するときのフローを示す図である。
【図５】表示部１１の画面に表示されたローカライザ画像データＤＬを概略的に示す図である。
【図６】オペレータによって設定されたナビゲータ領域Ｒｎａｖの基準位置Ｐ１を示す図である。
【図７】表示部１１に表示された呼吸信号Ｓ１を概略的に示す図である。
【図８】ナビゲータ領域Ｒｎａｖの位置を変更したときの様子を示す図である。
【図９】ナビゲータ領域Ｒｎａｖの位置を更に変更したときの様子を示す図である。
【図１０】オペレータによって良好な呼吸信号が得られると判断されたナビゲータ領域Ｒｎａｖの位置Ｐｏｐｔと、位置Ｐｏｐｔに設定されたナビゲータ領域Ｒｎａｖから取得された呼吸信号Ｓｏｐｔを示す図である。
【図１１】設定されたアクセプタンスウィンドウＡＷを示す図である。
【図１２】本スキャンＭＳの説明図である。
【図１３】第２の形態におけるＭＲ装置の概略図である。
【図１４】第２の形態におけるフローを示す図である。
【図１５】決定手段９４により設定されナビゲータ領域の位置の一例である。
【図１６】ナビゲータ領域を位置Ａ、Ｂ、Ｃ、およびＤに位置決めしたときに得られた呼吸信号ＳＡ、ＳＢ、ＳＣ、ＳＤを概略的に示す図である。
【図１７】表示部１１に表示されたナビゲータ領域の位置Ｃと呼吸信号ＳＣとを示す図である。
【図１８】本発明の第３の形態の磁気共鳴装置の概略図である。
【図１９】第３の形態で実行されるスキャンの説明図である。
【図２０】撮影部位を概略的に示す図である。
【図２１】図１９に示すスキャンを実行するときのフローを示す図である。
【図２２】表示部１１の画面に表示されたローカライザ画像データＤＬを概略的に示す図である。
【図２３】オペレータによって設定されたナビゲータ領域Ｒｎａｖの基準位置Ｐ１を示す図である。
【図２４】ナビゲータ領域Ｒｎａｖの位置をＲＬ方向に移動させるときの範囲Ｗ１を設定するときの説明図である。
【図２５】設定されたナビゲータ領域Ｒｎａｖの位置を概略的に示す図である。
【図２６】プレスキャンＰＳ１の説明図である。
【図２７】相関を算出するときの説明図である。
【図２８】第４の形態のＭＲ装置４００を示す図である。
【図２９】第４の形態で実施されるスキャンの説明図である。
【図３０】第４の形態における撮影フローを示す図である。
【図３１】設定された範囲Ｗ２を概略的に示す図である。
【図３２】設定されたナビゲータ領域Ｒｎａｖの位置を概略的に示す図である。
【図３３】プレスキャンＰＳ２の説明図である。
【図３４】ナビゲータ領域Ｒｎａｖの位置を決定するときの説明図である。
【図３５】第５の形態のＭＲ装置５００を示す図である。
【図３６】第５の形態における撮影フローを示す図である。
【図３７】ステップＳＴ６の説明図である。
【図３８】プロファイルＦｄおよびＦｂを微分することにより得られた微分プロファイルＦｄ′およびＦｂ′を概略的に示す図である。
【図３９】第６の形態のＭＲ装置６００を示す図である。
【図４０】第６の形態における撮影フローを示す図である。
【発明を実施するための形態】
【００１９】
以下、発明を実施するための形態について説明するが、本発明は、以下の形態に限定されることはない。
【００２０】
（１）第１の形態
図１は、本発明の第１の形態の磁気共鳴装置の概略図である。
磁気共鳴装置（以下、「ＭＲ装置」と呼ぶ。ＭＲ：Magnetic Resonance）１００は、マグネット２、テーブル３、受信コイル４などを有している。
【００２１】
マグネット２は、被検体１２が収容されるボア２１と、超伝導コイル２２と、勾配コイル２３と、ＲＦコイル２４とを有している。超伝導コイル２２は静磁場を印加し、勾配コイル２３は勾配磁場を印加し、ＲＦコイル２４はＲＦパルスを送信する。尚、超伝導コイル２２の代わりに、永久磁石を用いてもよい。
【００２２】
テーブル３は、クレードル３ａを有している。クレードル３ａは、ボア２１内に移動できるように構成されている。クレードル３ａによって、被検体１２はボア２１に搬送される。
【００２３】
受信コイル４は、被検体１２の腹部に取り付けられている。受信コイル４は、被検体１２からの磁気共鳴信号を受信する。
【００２４】
ＭＲ装置１００は、更に、シーケンサ５、送信器６、勾配磁場電源７、受信器８、制御部９、操作部１０、および表示部１１などを有している。
【００２５】
シーケンサ５は、制御部９の制御を受けて、パルスシーケンスの情報を送信器６および勾配磁場電源７に送る。
【００２６】
送信器６は、シーケンサ５から送られた情報に基づいて、ＲＦコイル２４に電流を供給する。
勾配磁場電源７は、シーケンサ５から送られた情報に基づいて、勾配コイル２３に電流を供給する。
【００２７】
受信器８は、受信コイル４から受け取った信号に対して信号処理（例えば、検波）を実行する。
【００２８】
制御部９は、シーケンサ５および表示部１１に必要な情報を伝送したり、受信器８から受け取ったデータに基づいて画像を再構成するなど、ＭＲ装置１００の各種の動作を実現するように、ＭＲ装置１００の各部の動作を制御する。制御部９は、例えばコンピュータ（computer）によって構成される。制御部９は、基準位置設定手段９１、位置変更手段９２、および表示制御手段９３などを有している。
【００２９】
基準位置設定手段９１は、ナビゲータ領域Ｒｎａｖの基準位置を設定する。
位置変更手段９２は、ナビゲータ領域Ｒｎａｖの位置を変更する。
表示制御手段９３は、表示部１１に必要な情報が表示されるように、表示部１１を制御する。
【００３０】
制御部９は、基準位置設定手段９１、位置変更手段９２、および表示制御手段９３を構成する一例であり、所定のプログラムを実行することにより、これらの手段として機能する。
【００３１】
操作部１０は、オペレータにより操作され、種々の情報を制御部９に入力する。表示部１１は表示制御手段９３の制御に基づいて種々の情報を表示する。
ＭＲ装置１００は、上記のように構成されている。
【００３２】
図２は、第１の形態で実行されるスキャンの説明図、図３は撮影部位を概略的に示す図である。
【００３３】
第１の形態では、ローカライザスキャンＬＳ、プレスキャンＰＳ、および本スキャンＭＳが実行される。
【００３４】
ローカライザスキャンＬＳは、ローカライザ画像データを取得するためのスキャンである。ローカライザ画像データは、本スキャンＭＳにおけるスライス位置を設定するときに使用される画像データであり、また、被検体の呼吸信号を取得するためのナビゲータ領域Ｒｎａｖを設定するときに使用される画像データでもある。ここでは、ナビゲータ領域Ｒｎａｖは、横隔膜を横切る位置に設定されている。
【００３５】
プレスキャンＰＳは、ナビゲータ領域Ｒｎａｖから被検体の呼吸信号を取得するためのナビゲータシーケンスＮＡＶを含んでいる。ナビゲータ領域Ｒｎａｖは、横隔膜を横切る位置に設定されているので、ナビゲータシーケンスＮＡＶを繰り返し実行することにより、横隔膜の位置の時間変化を検出することができる。したがって、プレスキャンＰＳを実行することにより、被検体の呼吸信号を取得することができる。
【００３６】
本スキャンＭＳでは、ナビゲータシーケンスＮＡＶと、肝臓を含む部位の画像データを取得するためのイメージングシーケンスＩＭが実行される。
【００３７】
図４は、図２に示すスキャンを実行するときのフローを示す図である。
ステップＳＴ１では、ローカライザスキャンＬＳを実行する。ローカライザスキャンＬＳにより、ローカライザ画像データが得られる。オペレータは操作部１０を操作し、ローカライザ画像データを表示部１１に表示させる。図５に、表示部１１の画面に表示されたローカライザ画像データＤＬを概略的に示す。ローカライザ画像データＤＬを表示部１１に表示させた後、ステップＳＴ２に進む。
【００３８】
ステップＳＴ２では、オペレータは操作部１０を操作して、ローカライザ画像データＤＬ上にナビゲータ領域Ｒｎａｖの基準位置を設定するための情報を入力する。この情報が入力されると、基準位置設定手段９１（図１参照）は、入力された情報に基づいて、ローカライザ画像データＤＬ上に、ナビゲータ領域Ｒｎａｖの基準位置を設定する。図６に、オペレータによって設定されたナビゲータ領域Ｒｎａｖの基準位置Ｐ１を示す。本形態では、オペレータは、横隔膜を横切る位置にナビゲータ領域Ｒｎａｖの基準位置Ｐ１を設定する。ナビゲータ領域Ｒｎａｖの基準位置Ｐ１を設定した後、ステップＳＴ３に進む。
【００３９】
ステップＳＴ３では、オペレータが操作部１０を操作し、プレスキャンＰＳをスタートさせる。プレスキャンＰＳがスタートすると、表示部１１には、基準位置Ｐ１に設定されたナビゲータ領域Ｒｎａｖから取得された呼吸信号が表示される（図７参照）。
【００４０】
図７は、表示部１１に表示された呼吸信号Ｓ１を概略的に示す図である。
プレスキャンＰＳでは、基準位置Ｐ１に設定されたナビゲータ領域Ｒｎａｖから呼吸信号を取得するためのナビゲータシーケンスＮＡＶが繰り返し実行される。オペレータは、横隔膜を横切る位置にナビゲータ領域Ｒｎａｖを設定しているので、プレスキャンＰＳを開始することにより、横隔膜の位置を検出することができる。横隔膜は被検体の呼吸運動に応じて動くので、横隔膜の位置を検出することにより、被検体の呼吸信号を観測することができる。
【００４１】
オペレータは、表示部１１に表示された呼吸信号Ｓ１を参照しながら、オペレータがステップＳＴ２で設定したナビゲータ領域Ｒｎａｖの基準位置Ｐ１が、呼吸信号を取得するのに適した位置であるか否かを考える。例えば、呼吸信号Ｓ１の振幅が小さすぎたり、呼吸信号Ｓ１の波形が乱れている場合は、オペレータがステップＳＴ２で設定したナビゲータ領域Ｒｎａｖの基準位置Ｐ１は、呼吸信号を取得するのに適した位置であるとはいえない。また、ナビゲータ領域Ｒｎａｖの位置を、基準位置Ｐ１とは別の位置に変更したたほうが、より良好な呼吸信号を取得できることもあり得る。そこで、オペレータは、プレスキャンＰＳが実行されている途中で、操作部１０を操作し、ナビゲータ領域Ｒｎａｖの位置を変更するための情報を入力する。この情報が入力されると、位置変更手段９２（図１参照）は、入力された情報に基づいて、ナビゲータ領域Ｒｎａｖの位置を変更する（図８参照）。
【００４２】
図８は、ナビゲータ領域Ｒｎａｖの位置を変更したときの様子を示す図である。図８には、ナビゲータ領域Ｒｎａｖの位置が、位置Ｐ２に変更された様子が示されている。尚、ナビゲータ領域Ｒｎａｖの位置Ｐ２は実線で示されており、オペレータがステップＳＴ２で設定したナビゲータ領域Ｒｎａｖの基準位置Ｐ１は破線で示してある。
【００４３】
プレスキャンＰＳではナビゲータシーケンスＮＡＶが繰り返し実行されているので、プレスキャンＰＳの途中でナビゲータ領域Ｒｎａｖの位置をＰ２に変更すると、位置Ｐ２に設定されたナビゲータ領域Ｒｎａｖから呼吸信号Ｓ２が取得される。したがって、表示制御手段９３（図１参照）は、表示部１１を制御し、位置Ｐ２のナビゲータ領域Ｒｎａｖから取得された呼吸信号Ｓ２を表示させる。オペレータは、表示部１１に表示された呼吸信号Ｓ２を参照しながら、ナビゲータ領域Ｒｎａｖの位置Ｐ２が、呼吸信号を取得するのに適した位置であるかを考える。
【００４４】
オペレータは、ナビゲータ領域Ｒｎａｖが位置Ｐ２に設定されたときの呼吸信号Ｓ２を確認した後、必要に応じて、ナビゲータ領域Ｒｎａｖの位置を更に変更する（図９参照）。
【００４５】
図９は、ナビゲータ領域Ｒｎａｖの位置を更に変更したときの様子を示す図である。図９には、ナビゲータ領域Ｒｎａｖの位置が、位置Ｐ３に変更された様子が示されている。尚、ナビゲータ領域Ｒｎａｖの位置Ｐ１およびＰ２は破線で示してある。
【００４６】
プレスキャンＰＳではナビゲータシーケンスＮＡＶが繰り返し実行されているので、プレスキャンＰＳの途中でナビゲータ領域Ｒｎａｖの位置をＰ３に変更すると、位置Ｐ３に設定されたナビゲータ領域Ｒｎａｖから呼吸信号Ｓ３が取得される。したがって、オペレータがナビゲータ領域の位置を変更するたびに、位置が変更された後のナビゲータ領域の呼吸信号が表示されるので、オペレータは、ナビゲータ領域の位置を変更したときに、呼吸信号の波形がどのように変化するかを確認することができる。このようにして呼吸信号を観測しながら、良好な呼吸信号が得られるときのナビゲータ領域の位置を探し出す。図１０に、オペレータによって良好な呼吸信号が得られると判断されたナビゲータ領域Ｒｎａｖの位置Ｐｏｐｔと、位置Ｐｏｐｔに設定されたナビゲータ領域Ｒｎａｖから取得された呼吸信号Ｓｏｐｔを示す。良好な呼吸信号が得られるナビゲータ領域Ｒｎａｖの位置Ｐｏｐｔが決まったら、ステップＳＴ４に進む。
【００４７】
ステップＳＴ４では、オペレータは、図１０に示す呼吸信号Ｓｏｐｔに基づいてアクセプタンスウィンドウを設定する（図１１参照）。
【００４８】
図１１は、設定されたアクセプタンスウィンドウＡＷを示す図である。
アクセプタンスウィンドウＡＷは、本スキャンＭＳのイメージングシーケンスＩＭ（図２参照）を実行することが可能な呼吸信号の範囲を表している。アクセプタンスウィンドウＡＷを設定した後、ステップＳＴ５に進む。
【００４９】
ステップＳＴ５では、本スキャンＭＳが実行される。
図１２は、本スキャンＭＳの説明図である。
本スキャンＭＳでは、ナビゲータシーケンスＮＡＶとイメージングシーケンスＩＭとが実行される。
【００５０】
本スキャンＭＳでは、ナビゲータシーケンスＮＡＶを繰り返し実行しながら呼吸信号Ｓを取得し、呼吸信号ＳがアクセプタンスウィンドウＡＷの外側から内側に入ったときにイメージングシーケンスＩＭを実行する。
【００５１】
イメージングシーケンスＩＭを実行したら、再びナビゲータシーケンスＮＡＶを繰り返し実行し、呼吸信号ＳがアクセプタンスウィンドウＡＷの外側から内側に入ったときに次のイメージングシーケンスＩＭを実行する。以下同様に、ナビゲータシーケンスＮＡＶおよびイメージングシーケンスＩＭを実行し、必要なデータが収集されたら、フローが終了する。
【００５２】
第１の形態では、オペレータがプレスキャンＰＳ中にナビゲータ領域の位置を変更すると、表示部１１には、位置が変更された後のナビゲータ領域から取得された呼吸信号が表示される。したがって、オペレータは、ナビゲータ領域の位置を変更したときに、呼吸信号の波形がどのように変化するかを確認することができるので、良好な呼吸信号を取得することが可能なナビゲータ領域の位置を探し出すことができる。
【００５３】
尚、本形態では、本スキャンＭＳにおいて、呼吸信号がアクセプタンスウィンドウＡＷの内側に入ったときにイメージングシーケンスＩＭを実行している。しかし、被検体の呼吸信号がアクセプタンスウィンドウＡＷの外側に存在しているときにイメージングシーケンスを実行してもよい。また、本形態では、アクセプタンスウィンドウＡＷを設定しているが、アクセプタンスウィンドウＡＷは必ずしも設定する必要はない。
【００５４】
（２）第２の形態
図１３は、第２の形態におけるＭＲ装置の概略図である。
第２の形態のＭＲ装置では、制御部９は基準位置設定手段９１および決定手段９４などを有している。基準位置設定手段９１は、ナビゲータ領域Ｒｎａｖの基準位置を設定する。決定手段９４は、呼吸信号に基づいて、ナビゲータ領域の位置を決定する。制御部９は、基準位置設定手段９１および決定手段９４を構成する一例であり、所定のプログラムを実行することにより、これらの手段として機能する。尚、その他の構成は、第１の形態と同じである。
次に、第２の形態において被検体を撮影するときのフローについて説明する。
【００５５】
図１４は、第２の形態におけるフローを示す図である。
ステップＳＴ１およびＳＴ２は、第１の形態と同様であるので詳しい説明は省略する。ステップＳＴ２において、オペレータがナビゲータ領域Ｒｎａｖの基準位置Ｐ１（図６参照）を設定した後、ステップＳＴ２１に進む。
【００５６】
ステップＳＴ２１では、オペレータが操作部１０を操作し、プレスキャンＰＳをスタートさせるための命令を入力する。この命令が入力されると、プレスキャンＰＳが開始される前に、決定手段９４（図１３参照）は、プレスキャンＰＳを実行するときのナビゲータ領域の位置を設定する（図１５参照）。
【００５７】
図１５は、決定手段９４により設定されナビゲータ領域の位置の一例である。
図１５では、ナビゲータ領域の位置として、４つの位置Ａ、Ｂ、Ｃ、およびＤが設定された例が示されている。
【００５８】
決定手段９４は、オペレータがステップＳＴ２で設定したナビゲータ領域Ｒｎａｖの位置に基づいて、図１５に示す４つの位置Ａ、Ｂ、Ｃ、およびＤを設定する。４つの位置Ａ、Ｂ、Ｃ、およびＤのうち、位置Ｂは、オペレータがステップＳＴ２で設定したナビゲータ領域Ｒｎａｖの基準位置Ｐ１（図６参照）と同じ位置である。位置Ａは、位置Ｂに対してＲ側に設定されており、位置ＣおよびＤは、位置Ｂに対してＬ側に設定されている。
【００５９】
ナビゲータ領域の位置Ａ、Ｂ、Ｃ、およびＤを設定した後、プレスキャンＰＳが開始される。
プレスキャンＰＳが実行されている間、決定手段９４は、ナビゲータ領域の位置を、位置Ａ、Ｂ、Ｃ、およびＤの順で変更する。したがって、プレスキャンＰＳが実行されている間に、ナビゲータ領域が位置Ａ、Ｂ、Ｃ、およびＤに位置決めされているときの呼吸信号が得られる。図１６は、ナビゲータ領域を位置Ａ、Ｂ、Ｃ、およびＤに位置決めしたときに得られた呼吸信号ＳＡ、ＳＢ、ＳＣ、ＳＤを概略的に示す図である。決定手段９４は、プレスキャンＰＳ中に得られた呼吸信号ＳＡ、ＳＢ、ＳＣ、ＳＤに基づいて、ナビゲータ領域の位置Ａ、Ｂ、Ｃ、およびＤの中から、良好な呼吸信号が得られるときのナビゲータ領域の位置を選択する。良好な呼吸信号であるか否かを判断する方法としては、例えば、呼吸信号ＳＡ、ＳＢ、ＳＣ、ＳＤの振幅ＦＡ、ＦＢ、ＦＣ、ＦＤを用いることができる。一般的には、呼吸信号の振幅が大きいほうが、横隔膜の位置の検出精度が高いと考えられるので、呼吸信号の振幅を計算し、最も振幅が大きくなるときの呼吸信号を検出することにより、良好な呼吸信号を特定することができる。本形態では、位置Ｃの呼吸信号ＳＣの振幅ＦＣが最大であるとする。したがって、決定手段９４は、位置Ｃを、本スキャンＭＳにおけるナビゲータ領域の位置として決定する。尚、ナビゲータ領域の位置Ａ、Ｂ、Ｃ、Ｄと、呼吸信号ＳＡ、ＳＢ、ＳＣ、ＳＤは、表示部１１に表示させる必要はない。ただし、オペレータへの参考情報として、ナビゲータ領域の位置Ａ、Ｂ、Ｃ、Ｄと、呼吸信号ＳＡ、ＳＢ、ＳＣ、ＳＤを、表示部１１に表示させてもよい。
【００６０】
良好な呼吸信号が得られるナビゲータ領域の位置Ｃが決まったら、表示部１１に、ナビゲータ領域の位置Ｃと、ナビゲータ領域が位置Ｃに存在しているときに得られた呼吸信号ＳＣとが表示される（図１７参照）。そして、ステップＳＴ４に進む。
ステップＳＴ４およびＳＴ５は、第１の形態と同じであるので、説明は省略する。
【００６１】
第２の形態では、プレスキャンＰＳを実行するときのナビゲータ領域の位置を決定し、各位置のナビゲータ領域で得られた呼吸信号の振幅に基づいて、本スキャンＭＳを実行するときのナビゲータ領域の位置を決定している。したがって、良好な呼吸信号を取得することが可能なナビゲータ領域の位置を探し出すことができる。
【００６２】
尚、第２の形態では、４つの位置Ａ、Ｂ、Ｃ、Ｄのうちの位置Ｂは、オペレータがステップＳＴ２で設定したナビゲータ領域Ｒｎａｖの基準位置Ｐ１と同じ位置である。しかし、４つの位置Ａ、Ｂ、Ｃ、Ｄは、オペレータがステップＳＴ２で設定したナビゲータ領域Ｒｎａｖの基準位置Ｐ１からずれていてもよい。
【００６３】
第２の形態では、ステップＳＴ２１において、ナビゲータ領域Ｒｎａｖの位置として、４つの位置Ａ、Ｂ、Ｃ、Ｄを設定している。しかし、複数の位置が設定されるのであれば、ナビゲータ領域Ｒｎａｖの位置は４つに限定されることはなく、４つより少なくてもよいし、４つより多くてもよい。
【００６４】
第２の形態では、位置Ａ、Ｂ、Ｃ、Ｄの中から、位置Ｃを、本スキャンＭＳにおけるナビゲータ領域の位置として決定している。しかし、位置Ａ、Ｂ、Ｃ、Ｄの呼吸信号ＳＡ、ＳＢ、ＳＣ、ＳＤに基づいて位置Ｃを微調整し、微調整した後の位置Ｃ′を、本スキャンＭＳにおけるナビゲータ領域の位置として決定してもよい。
【００６５】
第１および第２の形態では、ナビゲータ領域を横隔膜に設定する場合について説明されているが、被検体の呼吸信号を取得することができるのであれば、ナビゲータ領域は横隔膜とは別の場所（例えば、被検体の腹部の体表面）に設定してもよい。また、本スキャンでは肝臓を撮影しているが、呼吸により体動する部位であれば、肝臓とは別の部位（例えば、腎臓）を撮影してもよい。
【００６６】
（３）第３の形態
図１８は、本発明の第３の形態の磁気共鳴装置の概略図である。
磁気共鳴装置（以下、「ＭＲ装置」と呼ぶ。ＭＲ：Magnetic Resonance）３００は、マグネット２、テーブル３、受信コイル４などを有している。
【００６７】
マグネット２は、被検体１２が収容されるボア２１と、超伝導コイル２２と、勾配コイル２３と、ＲＦコイル２４とを有している。超伝導コイル２２は静磁場を印加し、勾配コイル２３は勾配磁場を印加し、ＲＦコイル２４はＲＦパルスを送信する。尚、超伝導コイル２２の代わりに、永久磁石を用いてもよい。
【００６８】
テーブル３は、クレードル３ａを有している。クレードル３ａは、ボア２１内に移動できるように構成されている。クレードル３ａによって、被検体１２はボア２１に搬送される。
【００６９】
受信コイル４は、被検体１２に取り付けられている。受信コイル４は、被検体１２からの磁気共鳴信号を受信する。
【００７０】
ＭＲ装置３００は、更に、シーケンサ５、送信器６、勾配磁場電源７、受信器８、制御部９、操作部１０、および表示部１１などを有している。
【００７１】
シーケンサ５は、制御部９の制御を受けて、パルスシーケンスの情報を送信器６および勾配磁場電源７に送る。
【００７２】
送信器６は、シーケンサ５から送られた情報に基づいて、ＲＦコイル２４に電流を供給する。
【００７３】
勾配磁場電源７は、シーケンサ５から送られた情報に基づいて、勾配コイル２３に電流を供給する。
【００７４】
受信器８は、受信コイル４から受け取った信号に対して、検波などの信号処理を実行する。
【００７５】
尚、マグネット２、受信コイル４、シーケンサ５、送信器６、勾配磁場電源７、受信器８を合わせたものが、スキャン手段２０を構成する。
【００７６】
制御部９は、シーケンサ５および表示部１１に必要な情報を伝送したり、受信器８から受け取ったデータに基づいて画像を再構成するなど、ＭＲ装置１００の各種の動作を実現するように、ＭＲ装置１００の各部の動作を制御する。制御部９は、範囲設定手段９ａ〜決定手段９ｅなどを有している。
【００７７】
範囲設定手段９ａは、ナビゲータ領域Ｒｎａｖの位置を移動させるときの範囲Ｗ１（例えば、図２４参照）を設定する。
位置設定手段９ｂは、範囲Ｗ１内で、プレスキャンＰＳ１（図１９参照）を実行するときのナビゲータ領域Ｒｎａｖの位置を設定する。
変換手段９ｃは、ナビゲータ信号をフーリエ変換し、ナビゲータ領域ＲｎａｖのＳＩ方向の信号値の変化を表すプロファイルを作成する。
相関算出手段９ｄは、プロファイルとテンプレートＴとの相関を算出する。
決定手段９ｅは、本スキャンＭＳ（図１９参照）を実行するときのナビゲータ領域Ｒｎａｖの位置を決定する。
【００７８】
制御部９は、範囲設定手段９ａ〜決定手段９ｅを構成する一例であり、所定のプログラムを実行することにより、これらの手段として機能する。
【００７９】
操作部１０は、オペレータにより操作され、種々の情報を制御部９に入力する。表示部１１は種々の情報を表示する。
ＭＲ装置３００は、上記のように構成されている。
【００８０】
図１９は、第３の形態で実行されるスキャンの説明図、図２０は撮影部位を概略的に示す図である。
【００８１】
第３の形態では、ローカライザスキャンＬＳ、プレスキャンＰＳ１、および本スキャンＭＳが実行される。
【００８２】
ローカライザスキャンＬＳは、ローカライザ画像データを取得するためのスキャンである。ローカライザ画像データは、本スキャンＭＳにおけるスライス位置を設定するときに使用される画像データであり、また、被検体の呼吸信号を取得するためのナビゲータ領域Ｒｎａｖを設定するときに使用される画像データでもある。ここでは、ナビゲータ領域Ｒｎａｖは、肝臓と肺との境界を横切る位置に設定されている。
【００８３】
プレスキャンＰＳ１は、肝臓と肺との境界の位置を検出するためのナビゲータシーケンスＮＡＶを含んでいる。プレスキャンＰＳ１が実行されている間、ナビゲータ領域Ｒｎａｖの位置はＲＬ方向に動くように設定されている。プレスキャンＰＳ１については後で詳しく説明する。
【００８４】
本スキャンＭＳでは、ナビゲータシーケンスＮＡＶと、肝臓の画像データを取得するためのイメージングシーケンスＩＭが実行される。
【００８５】
図２１は、図１９に示すスキャンを実行するときのフローを示す図である。
ステップＳＴ１では、ローカライザスキャンＬＳを実行する。ローカライザスキャンＬＳにより、ローカライザ画像データが得られる。オペレータは操作部１０を操作し、ローカライザ画像データを表示部１１に表示させる。図２２に、表示部１１の画面に表示されたローカライザ画像データＤＬを概略的に示す。ローカライザ画像データＤＬを表示部１１に表示させた後、ステップＳＴ２に進む。
【００８６】
ステップＳＴ２では、オペレータは操作部１０を操作して、ローカライザ画像データＤＬ上にナビゲータ領域Ｒｎａｖの基準位置を設定するための情報を入力する。この情報が入力されると、ローカライザ画像データＤＬ上に、ナビゲータ領域Ｒｎａｖの基準位置が設定される。図２３に、オペレータによって設定されたナビゲータ領域Ｒｎａｖの基準位置Ｐ１を示す。本形態では、オペレータは、肝臓と肺との境界にナビゲータ領域Ｒｎａｖの基準位置Ｐ１を設定する。尚、上記の説明では、ナビゲータ領域Ｒｎａｖの基準位置Ｐ１はオペレータが手動で設定しているが、ローカライザ画像データに基づいて、自動で設定してもよい。肺の信号値と肝臓の信号値との差は比較的大きいので、信号値の差を利用することにより、肝臓と肺との境界にナビゲータ領域Ｒｎａｖの基準位置Ｐ１を設定することができる。ナビゲータ領域Ｒｎａｖの基準位置Ｐ１を設定した後、ステップＳＴ３に進む。
【００８７】
ステップＳＴ３では、範囲設定手段９ａ（図１８参照）が、ナビゲータ領域Ｒｎａｖの基準位置Ｐ１に基づいて、プレスキャンＰＳ１（図１９参照）の間にナビゲータ領域Ｒｎａｖの位置をＲＬ方向に移動させるときの範囲Ｗ１を設定する（図２４参照）。
【００８８】
図２４は、ナビゲータ領域Ｒｎａｖの位置をＲＬ方向に移動させるときの範囲Ｗ１を設定するときの説明図である。
【００８９】
範囲設定手段９ａは、ナビゲータ領域Ｒｎａｖの基準位置Ｐ１を中心にして、ＲＬ方向に一定の幅を有する範囲Ｗ１を設定する。この範囲Ｗ１が、プレスキャンＰＳ１の間にナビゲータ領域Ｒｎａｖの位置を移動させるときの範囲として設定される。範囲Ｗ１のＲＬ方向の幅は、例えば１０ｃｍである。範囲Ｗ１を設定した後、ステップＳＴ４に進む。
【００９０】
ステップＳＴ４では、位置設定手段９ｂ（図１８参照）が、範囲Ｗ１内に、プレスキャンＰＳ１を実行するときのナビゲータ領域Ｒｎａｖの位置を設定する。図２５に、設定されたナビゲータ領域Ｒｎａｖの位置を概略的に示す。本形態では、プレスキャンＰＳ１を実行するときのナビゲータ領域Ｒｎａｖの位置として、位置ａ〜ｇが設定される。位置ｄは、ナビゲータ領域Ｒｎａｖの基準位置Ｐ１と同じ位置である。位置ａ〜ｇは、Δｘの間隔でＲＬ方向に並んでいる。尚、位置ａ〜ｇのＳＩ方向の位置は同じであり、位置ａ〜ｇのＡＰ方向の位置も同じである。これらの位置ａ〜ｇを決定した後、ステップＳＴ５に進む。
【００９１】
ステップＳＴ５では、プレスキャンＰＳ１が実行される（図２６参照）。
図２６はプレスキャンＰＳ１の説明図である。
スキャン手段２０（図１８参照）は、先ず、位置ａのナビゲータ領域Ｒｎａｖからナビゲータ信号Ｓａを取得するためのナビゲータシーケンスＮＡＶを実行する。変換手段９ｃ（図１８参照）は、ナビゲータ信号Ｓａをフーリエ変換する。これにより、ナビゲータ領域ＲｎａｖのＳＩ方向の信号値の変化を表すプロファイルＦａを得ることができる。
【００９２】
位置ａのナビゲータ領域Ｒｎａｖからナビゲータ信号Ｓａを取得した後、スキャン手段２０は、ナビゲータ領域Ｒｎａｖの位置をａからｂに移動し、位置ｂのナビゲータ領域Ｒｎａｖからナビゲータ信号Ｓｂを取得するためのナビゲータシーケンスＮＡＶを実行する。変換手段９ｃは、ナビゲータ信号Ｓｂをフーリエ変換する。これにより、ナビゲータ領域ＲｎａｖのＳＩ方向の信号値の変化を表すプロファイルＦｂを得ることができる。
【００９３】
以下同様に、ナビゲータ領域Ｒｎａｖの位置をｃ、ｄ、ｅ・・・と変えながら、ナビゲータシーケンスＮＡＶを実行し、ナビゲータ領域Ｒｎａｖの位置ごとに、ナビゲータ領域ＲｎａｖのＳＩ方向の信号値の変化を表すプロファイルを取得する。
【００９４】
最後に、ナビゲータ領域Ｒｎａｖの位置をｇに移動し、ナビゲータシーケンスＮＡＶを実行する。これにより、ナビゲータ領域Ｒｎａｖが位置ｇに設定されたときのＳＩ方向の信号値の変化を表すプロファイルＦｇが得られる。図２６では、ナビゲータ領域Ｒｎａｖが位置ａ、ｂ、ｄ、およびｇに設定されたときのプロファイルＦａ、Ｆｂ、Ｆｄ、およびＦｇが概略的に示されている。
これらのプロファイルＦａ〜Ｆｇを得た後、ステップＳＴ６に進む。
【００９５】
ステップＳＴ６では、相関算出手段９ｄ（図１８参照）が、プロファイルＦａ〜ＦｇとテンプレートＴとの相関を算出する。
【００９６】
図２７は、相関を算出するときの説明図である。
テンプレートＴは、ナビゲータ領域ＲｎａｖのＳＩ方向の信号値の変化を表すプロファイルの基準となるプロファイルであり、複数の人々から実際に取得したナビゲータ領域のプロファイルのデータを参考して事前に準備されたプロファイルである。テンプレートＴは、肺側の信号値が低く、一方、肝臓側の信号値が高いので、肺と肝臓との間では、信号値が大きく変化する。この信号値が大きく変化する位置が、肺と肝臓との境界位置を表している。
【００９７】
相関算出手段９ｄは、プロファイルＦａ〜Ｆｇの各々とテンプレートＴとの相関Ｃａ〜Ｃｇを算出する。相関を算出した後、ステップＳＴ７に進む。
【００９８】
ステップＳＴ７では、決定手段９ｅ（図１８参照）が、本スキャンＭＳを実行するときのナビゲータ領域Ｒｎａｖの位置を決定する。この決定は、以下の様に行う。
【００９９】
決定手段９ｅは、先ず、プロファイルＦａ〜Ｆｇの中から、相関が最大となるプロファイルを特定する。ここでは、プロファイルＦｄの相関Ｃｄが、最大であるとする。したがって、決定手段９ｅは、プロファイルＦｄを、相関が最大となるプロファイルとして特定する。そして、決定手段９ｅは、位置ａ〜ｇの中から、プロファイルＦｄが得られた位置ｄを特定する。このようにして特定された位置ｄが、本スキャンＭＳを実行するときのナビゲータ領域Ｒｎａｖの位置として決定される。位置ｄを決定したら、ステップＳＴ８に進む。
【０１００】
ステップＳＴ８では、本スキャンＭＳ（図１９参照）が実行される。本スキャンＭＳでは、位置ｄに設定されたナビゲータ領域Ｒｎａｖからナビゲータ信号を取得するためのナビゲータシーケンスＮＡＶと、肝臓の画像データを収集するためのイメージングシーケンスＩＭとが実行される。変換手段９ｃは、ナビゲータ信号をフーリエ変換し、ナビゲータ領域Ｒｎａｖのプロファイルを求める。プロファイルは、肺と肝臓との境界の位置において信号値が大きく変化するので、プロファイルの信号値が大きく変化する位置を検出することにより、肺と肝臓との境界の位置を検出することができる。したがって、本スキャンＭＳでは、肺と肝臓との境界の位置情報を取得しながら肝臓を撮影することができるので、体動アーチファクトの低減された画像データを得ることができる。
このようにして、フローを終了する。
【０１０１】
第３の形態では、ナビゲータ領域Ｒｎａｖのプロファイルの基準となるテンプレートＴを用意し、ナビゲータ領域Ｒｎａｖの位置ａ〜ｇの中から、テンプレートＴに最も近いプロファイルを有するナビゲータ領域Ｒｎａｖの位置ｄを特定している。本スキャンＭＳでは、テンプレートＴに近いプロファイルが得られる位置ｄにナビゲータ領域Ｒｎａｖが設定されるので、肺と肝臓との境界の位置の検出精度を高めることができる。
【０１０２】
（４）第４の形態
図２８は、第４の形態のＭＲ装置４００を示す図である。
第４の形態のＭＲ装置４００は、第３の形態のＭＲ装置３００（図１８参照）と比較すると、制御部９が異なるが、その他の構成は、第３の形態のＭＲ装置３００と同じである。したがって、第４の形態のＭＲ装置４００については、主に、制御部９について説明する。
【０１０３】
制御部９は、範囲設定手段９ａ〜決定手段９ｈなどを有している。
範囲設定手段９ａは、ナビゲータ領域Ｒｎａｖの位置を移動させるときの範囲Ｗ１（例えば、図２４参照）を設定する。
位置設定手段９ｂは、プレスキャンＰＳ１およびＰＳ２（図２９参照）を実行するときのナビゲータ領域Ｒｎａｖの位置を設定する。
変換手段９ｃは、ナビゲータ信号をフーリエ変換し、ナビゲータ領域ＲｎａｖのＳＩ方向の信号値の変化を表すプロファイルを作成する。
相関算出手段９ｄは、プロファイルとテンプレートＴとの相関を算出する。
範囲設定手段９ｆは、ナビゲータ領域Ｒｎａｖの位置を移動させるときの範囲Ｗ２（例えば、図３１参照）を設定する。
検出手段９ｇは、プロファイルから、肝臓と肺との境界の位置を検出する。
決定手段９ｈは、本スキャンＭＳ（図２９参照）を実行するときのナビゲータ領域Ｒｎａｖの位置を決定する。
【０１０４】
制御部９は、範囲設定手段９ａ〜決定手段９ｈを構成する一例であり、所定のプログラムを実行することにより、これらの手段として機能する。
【０１０５】
図２９は、第４の形態で実施されるスキャンの説明図である。
第４の形態では、ローカライザスキャンＬＳ、プレスキャンＰＳ１、および本スキャンＭＳの他に、プレスキャンＰＳ２が実行される。ローカライザスキャンＬＳ、プレスキャンＰＳ１、および本スキャンＭＳは、第３の形態と同じである。プレスキャンＰＳ２については後述する。
以下に、第４の形態における撮影フローについて説明する。
【０１０６】
図３０は、第４の形態における撮影フローを示す図である。
ステップＳＴ１〜ステップＳＴ６までは、第３の形態（図２１参照）と同じであるので説明は省略する。ステップＳＴ６において相関Ｃａ〜Ｃｇが算出される（図２７参照）。相関Ｃａ〜Ｃｇを算出した後、ステップＳＴ７に進む。
【０１０７】
ステップＳＴ７では、範囲設定手段９ｆ（図２８参照）が、プレスキャンＰＳ２の間にナビゲータ領域Ｒｎａｖの位置をＲＬ方向に移動させるときの範囲を設定する。この設定は、以下のように行う。
【０１０８】
範囲設定手段９ｆは、先ず、プロファイルＦａ〜Ｆｇの中から、相関が最大となるプロファイルを特定する。ここでは、プロファイルＦｄの相関Ｃｄが、最大であるとする。したがって、範囲設定手段９ｆは、プロファイルＦｄを、相関が最大となるプロファイルとして特定する。そして、範囲設定手段９ｆは、位置ａ〜ｇの中から、プロファイルＦｄが得られた位置ｄを特定する。
【０１０９】
次に、範囲設定手段９ｆは、位置ｄを中心にして、ＲＬ方向に一定の幅を有する範囲Ｗ２を設定する。図３１に、設定された範囲Ｗ２を概略的に示す。この範囲Ｗ２が、プレスキャンＰＳ２の間にナビゲータ領域Ｒｎａｖの位置を移動させるときの範囲として設定される。範囲Ｗ２の幅は、ステップＳＴ３で設定した範囲Ｗ１よりも狭く設定され、例えば、位置ａ〜ｇの相関Ｃａ〜Ｃｇの値に基づいて設定することができる。範囲Ｗ２を設定した後、ステップＳＴ７１に進む。
【０１１０】
ステップＳＴ７１では、位置設定手段９ｂ（図２８参照）は、範囲Ｗ２内に、プレスキャンＰＳ２を実行するときのナビゲータ領域Ｒｎａｖの位置を設定する。図３２に、設定されたナビゲータ領域Ｒｎａｖの位置を概略的に示す。第４の形態では、プレスキャンＰＳ２を実行するときのナビゲータ領域Ｒｎａｖの位置として、位置α、ｄ、およびβが設定される。位置α、ｄ、およびβは、Δｙの間隔でＲＬ方向に並んでいる。Δｙは、Δｘ（図２５参照）よりも狭く設定される。尚、位置α、ｄ、およびβのＳＩ方向の位置は同じであり、位置α、ｄ、およびβのＡＰ方向の位置も同じである。これらの位置α、ｄ、およびβを決定した後、ステップＳＴ７２進む。
【０１１１】
ステップＳＴ７２では、プレスキャンＰＳ２が実行される（図３３参照）。
図３３はプレスキャンＰＳ２の説明図である。
スキャン手段２０は、先ず、位置αのナビゲータ領域Ｒｎａｖからナビゲータ信号を収集するためのナビゲータシーケンスＮＡＶを繰り返し実行し、ナビゲータ信号Ｓα１〜Ｓαｍを収集する。変換手段９ｃ（図２８参照）は、ナビゲータ信号Ｓα１〜Ｓαｍの各々をフーリエ変換する。これにより、ナビゲータ領域ＲｎａｖのＳＩ方向の信号値の変化を表すプロファイルＦα１〜Ｆαｍを得ることができる。検出手段９ｇ（図２８参照）は、プロファイルＦα１〜Ｆαｍの各々から、肝臓と肺との境界の位置Ｐα１〜Ｐαｍを検出する。肝臓と肺との境界ではプロファイルの信号値が急激に変化するので、信号値が急激に変化する位置を検出することにより、肝臓と肺との境界の位置を検出することができる。
【０１１２】
したがって、ナビゲータシーケンスＮＡＶを繰り返し実行することにより、肝臓と肺との境界の位置の時間変化を検出することができるので、被検体の呼吸信号ＲＥＳαを取得することができる。
【０１１３】
位置αのナビゲータ領域Ｒｎａｖから呼吸信号ＲＥＳαを取得した後、スキャン手段２０は、ナビゲータ領域Ｒｎａｖの位置をαからｄに移動し、位置ｄのナビゲータ領域Ｒｎａｖからナビゲータ信号を取得するためのナビゲータシーケンスＮＡＶを繰り返し実行する。これにより、ナビゲータ領域Ｒｎａｖの位置がｄのときの呼吸信号ＲＥＳｄを取得することができる。
【０１１４】
位置ｄのナビゲータ領域Ｒｎａｖから呼吸信号ＲＥＳｄを取得した後、スキャン手段２０は、ナビゲータ領域Ｒｎａｖの位置をｄからβに移動し、位置βのナビゲータ領域Ｒｎａｖからナビゲータ信号を取得するためのナビゲータシーケンスＮＡＶを繰り返し実行する。これにより、ナビゲータ領域Ｒｎａｖの位置がβのときの呼吸信号ＲＥＳβを取得することができる。
これらの呼吸信号ＲＥＳα〜ＲＥＳβを得た後、ステップＳＴ７３に進む。
【０１１５】
ステップＳＴ７３では、決定手段９ｈ（図２８参照）が、呼吸信号のＲＥＳα〜ＲＥＳβに基づいて、本スキャンＭＳを実行するときのナビゲータ領域Ｒｎａｖの位置を決定する（図３４参照）。
【０１１６】
図３４は、ナビゲータ領域Ｒｎａｖの位置を決定するときの説明図である。
決定手段９ｈは、先ず、呼吸信号のＲＥＳα〜ＲＥＳβの振幅Ａα〜Ａβを求める。そして、ナビゲータ領域Ｒｎａｖの位置α、ｄ、およびβの中から、呼吸信号の振幅が最大になるときの位置を特定する。ここでは、振幅Ａｄが最大であるとする。したがって、位置ｄが、呼吸信号の振幅が最大となる位置として特定される。このようにして特定された位置ｄが、本スキャンＭＳを実行するときのナビゲータ領域Ｒｎａｖの位置として決定される。位置ｄを決定したら、ステップＳＴ７４に進む。
【０１１７】
ステップＳＴ７４では、本スキャンＭＳが実行される。本スキャンＭＳでは、第３の形態と同様に、位置ｄに設定されたナビゲータ領域Ｒｎａｖからナビゲータ信号を取得するためのナビゲータシーケンスＮＡＶと、肝臓の画像データを収集するためのイメージングシーケンスＩＭとが実行される。このようにして、フローを終了する。
【０１１８】
第４の形態では、ナビゲータ領域Ｒｎａｖの位置ａ〜ｇの中から、テンプレートＴに最も近いプロファイルを有するナビゲータ領域Ｒｎａｖの位置ｄを決定した後、位置ｄを基準にしてナビゲータ領域Ｒｎａｖの位置を移動させるときの範囲Ｗ２を設定する。そして、範囲Ｗ２の中でナビゲータ領域Ｒｎａｖの位置を移動し、各位置のナビゲータ領域Ｒｎａｖから呼吸信号ＲＥＳα〜ＲＥＳβを取得する。呼吸信号ＲＥＳα〜ＲＥＳβを得た後、呼吸信号のＲＥＳα〜ＲＥＳβの振幅Ａα〜Ａβを求め、位置α、ｄ、およびβの中から、呼吸信号の振幅が最大になるときの位置ｄを特定している。本スキャンＭＳでは、呼吸信号の振幅が最大になるときの位置ｄにナビゲータ領域Ｒｎａｖが設定されるので、肺と肝臓との境界のわずかな動きも、精度よく検出することができる。
【０１１９】
（５）第５の形態
図３５は、第５の形態のＭＲ装置５００を示す図である。
第５の形態のＭＲ装置５００は、第３の形態のＭＲ装置３００（図１８参照）と比較すると、制御部９が異なるが、その他の構成は、第３の形態のＭＲ装置３００と同じである。したがって、第５の形態のＭＲ装置５００については、主に、制御部９について説明する。
【０１２０】
制御部９は、範囲設定手段９ａ〜決定手段９ｊなどを有している。
範囲設定手段９ａは、ナビゲータ領域Ｒｎａｖの位置を移動させるときの範囲Ｗ１（例えば、図２４参照）を設定する。
位置設定手段９ｂは、範囲Ｗ１内で、プレスキャンＰＳ１（図１９参照）を実行するときのナビゲータ領域Ｒｎａｖの位置を設定する。
変換手段９ｃは、ナビゲータ信号をフーリエ変換し、ナビゲータ領域ＲｎａｖのＳＩ方向の信号値の変化を表すプロファイルを作成する。
面積差算出手段９ｉは、プロファイルの面積の差を算出する。
決定手段９ｊは、本スキャンＭＳを実行するときのナビゲータ領域Ｒｎａｖの位置を決定する。決定手段９ｊは、プロファイル選択手段９ｋ〜微分プロファイル選択手段９ｎなどを有している。プロファイル選択手段９ｋは、面積の差が大きいプロファイルを選択する。微分手段９ｍは、プロファイルを微分する。微分プロファイル選択手段９ｎは、微分値のピーク値が最大になるときの微分プロファイルを選択する。
【０１２１】
以下に、第５の形態における撮影フローについて説明する。
図３６は、第５の形態における撮影フローを示す図である。
ステップＳＴ１〜ステップＳＴ５までは、第３の形態（図２１参照）と同じであるので説明は省略する。ステップＳＴ５においてプロファイルＦａ〜Ｆｇ（図２６参照）を得た後、ステップＳＴ６に進む（図３７参照）。
【０１２２】
図３７は、ステップＳＴ６の説明図である。
ステップＳＴ６では、面積差算出手段９ｉ（図３５参照）が、プロファイルＦａを、プロファイルのＳＩ方向の中心位置を基準にして、２つの領域Ｒ１およびＲ２に分ける。そして、領域Ｒ１の面積Ｑ１と領域Ｒ２の面積Ｑ２との差ΔＱａを求める。以下同様に、プロファイルＦｂ〜Ｆｇについても、２つの領域Ｒ１およびＲ２に分け、面積の差ΔＱｂ〜ΔＱｇを求める。面積の差ΔＱａ〜ΔＱｇを求めた後、ステップＳＴ７０に進む。
【０１２３】
ステップＳＴ７０は、本スキャンを実行するときのナビゲータ領域の位置を決定する。ステップＳＴ７０はステップＳＴ７〜ＳＴ１０を有している。以下に、ステップＳＴ７〜ＳＴ１０について順に説明する。
【０１２４】
ステップＳＴ７では、プロファイル選択手段９ｋ（図３５参照）がプロファイルＦａ〜Ｆｇの中から、面積の差が大きいプロファイルを選択する。この選択は、例えば、以下のようにして行われる。
【０１２５】
プロファイル選択手段９ｋは、先ず、プロファイルの面積の差ΔＱａ〜ΔＱｇの中から、面積の差が大きいものを検出する。本形態では、面積の差が大きいものとして、面積の差の最大値と、面積の差が２番目に大きい値とを検出する。ここでは、面積の差の最大値としてΔＱｄが検出され、面積の差が２番目に大きい値としてΔＱｂが検出されたとする。したがって、プロファイル選択手段９ｋは、プロファイルＦａ〜Ｆｇの中から、面積の差がΔＱｄであるプロファイルＦｄと、面積の差がΔＱｂであるプロファイルＦｂを選択する。プロファイルＦｄおよびＦｂを選択した後、ステップＳＴ８に進む。
【０１２６】
ステップＳＴ８では、微分手段９ｍが、プロファイルＦｄおよびＦｂを微分する。図３８に、プロファイルＦｄおよびＦｂを微分することにより得られた微分プロファイルＦｄ′およびＦｂ′を概略的に示す。プロファイルを微分した後、ステップＳＴ９に進む。
【０１２７】
ステップＳＴ９では、微分プロファイル選択手段９ｎ（図３５参照）が、微分プロファイルＦｂ′のピーク値ΔＤｂと、微分プロファイルＦｄ′のピーク値ΔＤｄとを比較し、ピーク値が大きい方の微分プロファイルを選択する。本形態では、ΔＤｄ＞ΔＤｂであるとする。したがって、微分プロファイルＦｄ′が選択される。微分プロファイルＦｄ′を選択した後、ステップＳＴ１０に進む。
【０１２８】
ステップＳＴ１０では、決定手段９ｊ（図３５参照）が、微分プロファイルＦｄ′が得られている位置ｄを、本スキャンＭＳを実行するときのナビゲータ領域Ｒｎａｖの位置として決定する。ナビゲータ領域Ｒｎａｖの位置ｄを決定したら、ステップＳＴ１１に進む。
【０１２９】
ステップＳＴ１１では、本スキャンＭＳが実行される。本スキャンＭＳでは、第３の形態と同様に、位置ｄに設定されたナビゲータ領域Ｒｎａｖからナビゲータ信号を取得するためのナビゲータシーケンスＮＡＶと、肝臓の画像データを収集するためのイメージングシーケンスＩＭとが実行される。このようにして、フローを終了する。
【０１３０】
第５の形態では、プロファイルＦａ〜Ｆｇの各々の面積の差に基づいて、面積の差が大きいプロファイルＦｄおよびＦｂを求める。したがって、本スキャンＭＳを実行するときのナビゲータ領域Ｒｎａｖの大まかな位置を求めることができる。次に、プロファイルＦｄおよびＦｂを微分し、微分プロファイルＦｄ′の微分値のピーク値と、微分プロファイルＦｂ′の微分値のピーク値とを比較し、ピーク値の大きい方の位置ｄを、本スキャンＭＳを実行するときのナビゲータ領域Ｒｎａｖの位置と決定している。ピーク値の大きい方が、肝臓から肺への信号値の立ち上がりが急激に変化するので、位置ｄにナビゲータ領域を設定しておくことにより、肝臓と肺との境界の位置の検出精度を高めることができる。
【０１３１】
尚、第５の形態では、ステップＳＴ７で、面積の差が最大値となるプロファイルＦｄと、面積の差が２番目に大きいプロファイルＦｂとを求めている。しかし、プロファイルＦｄのみを求め、プロファイルＦｄが得られる位置ｄを、本スキャンＭＳを実行するときのナビゲータ領域の位置としてもよい。この場合、ステップＳＴ８およびＳＴ９を実行する必要がないので、ナビゲータ領域の位置を決めるために必要な計算時間を短縮することができる。
【０１３２】
（６）第６の形態
図３９は、第６の形態のＭＲ装置６００を示す図である。
第６の形態のＭＲ装置６００は、第５の形態のＭＲ装置５００（図３５参照）と比較すると、制御部９が異なるが、その他の構成は、第５の形態のＭＲ装置５００と同じである。したがって、第６の形態のＭＲ装置６００については、主に、制御部９について説明する。
【０１３３】
制御部９は、範囲設定手段９ａ〜決定手段９ｐなどを有している。
範囲設定手段９ａは、ナビゲータ領域Ｒｎａｖの位置を移動させるときの範囲Ｗ１（例えば、図２４参照）を設定する。
位置設定手段９ｂは、範囲Ｗ１内で、プレスキャンＰＳ１およびＰＳ２（図２９参照）を実行するときのナビゲータ領域Ｒｎａｖの位置を設定する。
変換手段９ｃは、ナビゲータ信号をフーリエ変換し、ナビゲータ領域ＲｎａｖのＳＩ方向の信号値の変化を表すプロファイルを作成する。
検出手段９ｈは、プロファイルから、肝臓と肺との境界の位置を検出する。
面積差算出手段９ｉは、プロファイルの面積の差を算出する。
範囲設定手段９ｆは、ナビゲータ領域Ｒｎａｖの位置を移動させるときの範囲Ｗ２（例えば、図３１参照）を設定する。範囲設定手段９ｆは、プロファイル選択手段９ｋ〜微分プロファイル選択手段９ｎなどを有している。プロファイル選択手段９ｋは、面積の差が大きいプロファイルを選択する。微分手段９ｍは、プロファイルを微分する。微分プロファイル選択手段９ｎは、微分値のピーク値が最大になるときの微分プロファイルを選択する。
決定手段９ｐは、本スキャンＭＳ（図２９参照）を実行するときのナビゲータ領域Ｒｎａｖの位置を決定する。
【０１３４】
制御部９は、範囲設定手段９ａ〜決定手段９ｐを構成する一例であり、所定のプログラムを実行することにより、これらの手段として機能する。
【０１３５】
図４０は、第６の形態における撮影フローを示す図である。
ステップＳＴ１〜ステップＳＴ９までは、第５の形態（図３６参照）と同じであるので説明は省略する。ステップＳＴ９において微分プロファイルＦｂ′およびＦｄ′（図３８参照）を得た後、ステップＳＴ１０に進む。
【０１３６】
ステップＳＴ１０では、範囲設定手段９ｆ（図３９参照）が、図３１に示すように、微分プロファイルＦｄ′が得られている位置ｄを中心にして、ＲＬ方向に一定の幅を有する範囲Ｗ２を設定する。範囲Ｗ２を設定した後、ステップＳＴ７１に進む。
【０１３７】
ステップＳＴ７１〜ＳＴ７４は、第４の形態のステップＳＴ７１〜ＳＴ７４（図３０参照）と同じであるので説明は省略する。
【０１３８】
第６の形態では、範囲Ｗ２の中でナビゲータ領域の位置を移動し、各位置のナビゲータ領域から得られた呼吸信号に基づいて、本スキャンＭＳを実行するときのナビゲータ領域の位置を決定している。したがって、本スキャンＭＳでは、呼吸信号の振幅が最大になるときの位置ｄにナビゲータ領域Ｒｎａｖが設定されるので、肺と肝臓との境界のわずかな動きも、精度よく検出することができる。
【０１３９】
尚、第３〜第６の形態では、ナビゲータ領域ＲｎａｖをＲＬ方向に移動する例が示されている。しかし、本発明は、ナビゲータ領域Ｒｎａｖを、ＲＬ方向、ＳＩ方向、およびＡＰ方向のうちの一つ以上の方向に移動してもよい。
【符号の説明】
【０１４０】
２  マグネット
３  テーブル
３ａ  クレードル
４  受信コイル
５  シーケンサ
６  送信器
７  勾配磁場電源
８  受信器
９  制御部
１０  操作部
１１  表示部
１２  被検体
２１  ボア
２２  超伝導コイル
２３  勾配コイル
２４  ＲＦコイル
【図１】
2013226409.tif 000003
【図２】
2013226409.tif 000004
【図３】
2013226409.tif 000005
【図４】
2013226409.tif 000006
【図５】
2013226409.tif 000007
【図６】
2013226409.tif 000008
【図７】
2013226409.tif 000009
【図８】
2013226409.tif 000010
【図９】
2013226409.tif 000011
【図１０】
2013226409.tif 000012
【図１１】
2013226409.tif 000013
【図１２】
2013226409.tif 000014
【図１３】
2013226409.tif 000015
【図１４】
2013226409.tif 000016
【図１５】
2013226409.tif 000017
【図１６】
2013226409.tif 000018
【図１７】
2013226409.tif 000019
【図１８】
2013226409.tif 000020
【図１９】
2013226409.tif 000021
【図２０】
2013226409.tif 000022
【図２１】
2013226409.tif 000023
【図２２】
2013226409.tif 000024
【図２３】
2013226409.tif 000025
【図２４】
2013226409.tif 000026
【図２５】
2013226409.tif 000027
【図２６】
2013226409.tif 000028
【図２７】
2013226409.tif 000029
【図２８】
2013226409.tif 000030
【図２９】
2013226409.tif 000031
【図３０】
2013226409.tif 000032
【図３１】
2013226409.tif 000033
【図３２】
2013226409.tif 000034
【図３３】
2013226409.tif 000035
【図３４】
2013226409.tif 000036
【図３５】
2013226409.tif 000037
【図３６】
2013226409.tif 000038
【図３７】
2013226409.tif 000039
【図３８】
2013226409.tif 000040
【図３９】
2013226409.tif 000041
【図４０】
2013226409.tif 000042